(57)【要約】  ウエストベルト（１）、ウエストベルト（１）により担持されそこから上方に延びた剛性プレート（２）を含み、前記プレートが外側に前片（３）を担持し、前片（３）が下中央部を介して担持ポケット（４）の底を形成するためにプレート（２）に中央で連結され、前片（３）が側方に離隔した第一取付要素（３１）を有し、第一取付要素（３１）がプレート（２）上で側方に離隔した付帯隣接取付要素に取外し可能に連結された子供運搬装置に関する。肩紐（５２）は、着用者の一方の肩上から着用者の上体部の反対側へ腕下から伸張し、かつ着用者の一方の肩上に肩紐を伸張した状態で、着用者の上体部の周りに運搬装置を回転させ担持ポケット（４）を着用者の前側と背側間でシフトするために、プレートの上コーナー領域間に延在する。
2010505508.tif 000002
【特許請求の範囲】
【請求項１】
ウエストベルト（１）、ウエストベルト（１）により担持されそこから上方に延びた剛性プレート（２）を含み、前記プレートが外側に前片（３）を担持し、前片（３）が下中央部を介して担持ポケット（４）の底を形成するためにプレート（２）に中央で連結され、前片（３）が側方に離隔した第一取付要素（３１）を有し、第一取付要素（３１）がプレート（２）上で側方に離隔した付帯隣接取付要素に取外し可能に連結される子供運搬装置において、
肩紐（５２）は、着用者の一方の肩上から着用者の上体部の反対側へ腕下から伸張するために、前記プレートの上コーナー領域間に延在し、着用者の一方の肩上に肩紐を伸張した状態で、着用者の上体部の周りで運搬装置を回転させ担持ポケット（４）を着用者の前側と背側間で移動可能であることを特徴とする、子供運搬装置。
【請求項２】
前記肩紐（５２）は、着用者の胸側に実質的に平面的に当接するときに、下方に膨出した状態で伸張するように予形成されていることを特徴とする、請求項１の子供運搬装置。
【請求項３】
前記肩紐（５２）の第一端部（５３）は、前記プレート（２）の上コーナー領域の隣接部に沿って延在するスライドガイド（５０）にスライド可能に連結され、前記スライドガイド（５０）は前記プレート（２）の側縁の上部に沿って実質的垂直部、前記プレート（２）の上縁に沿って実質的水平部、およびその間を連結する平滑湾曲部を含むことを特徴とする、請求項１または２の子供運搬装置。
【請求項４】
前記肩紐（５２）の第二端部（５４）は、前記プレート（２）の上コーナー部に沿って配置されたスライド取付具（５０）にスライド可能に連結され、前記スライドガイド（５０）は前記プレートの隣接側縁に沿った実質的垂直部、前記プレート（２）の上縁に沿った実質的水平部、およびその間を連結する平滑湾曲部を含むことを特徴とする、請求項３の子供運搬装置。
【請求項５】
前記スライドガイド（５０）は、前記プレート（２）に沿って中央垂直線に対して前記プレート（２）に平行の平面内で実質的対称であることを特徴とする、請求項３の子供運搬装置。
【請求項６】
前記肩紐（５２）の第一端（５３）が連結された前記プレート（２）の一側縁領域に、第一端（６２）が連結された安定紐（６０）を含み、
前記安定紐（６０）は担持ポケットが着用者の背側に位置するときに、着用者の隣接する腕下から胸側まで伸張し、前記安定紐（６０）の第二端（６１）は、着用者の胸側上で前記肩紐（５２）の長手方向に対して概ね直角を形成する方向において前記肩紐（５２）に連結されることを特徴とする、請求項１から５のいずれか一の子供運搬装置。
【請求項７】
前記安定紐（６０）の第二端（６１）は、前記担持ポケットが着用者の背側に位置するときに、肩紐（５２）に沿って、好ましくは、着用者の胸側上で肩紐（５２）の下境界で、スライドガイド（８１）の縁バルジ上にスライド可能に受けられるスライド取付具（８４）に連結されることを特徴とする、請求項６の子供運搬装置。
【請求項８】
前記スライド取付具は係止装置を含み、前記係止装置は、前記安定紐（６０）の張力が所定選択値を超えて前記スライドガイド（８１）の長手方向と鋭角を形成するときに、前記安定紐（６０）の張力により規制されかつ前記スライド取付具を前記肩紐（５２）のスライドガイドに係止することを特徴とする、請求項７の子供運搬装置。
【請求項９】
前記安定紐（６０）の第二端（６１）は、クランプ装置（８６）を足（３３）により起動させて前記スライド取付具（８４）を前記スライドガイド（８１）に係止するために、前記スライド取付具（８４）内に取外し可能に受けられかつ前記スライド取付具（８４）内のガイドスロット（９５）に沿って移動可能である連結ラグ（９１）であることを特徴とする、請求項８の子供運搬装置。
【発明の詳細な説明】
【技術分野】
【０００１】
本発明は、請求項１の導入部に記載の種類の子供運搬装置に関する。
【０００２】
そこで、本発明は、ウエストベルト、前記ウエストベルトにより担持されかつ着用者の上体部に隣接して上方へ伸長する剛性シート状構造部を有し、前記構造部が外側に前片を担持し、前記前片が下中央部を介してシート状構造部に連結されて担持ポケットの底を形成し、上側方で相互に離隔した位置でシート状構造部に連結される、子供運搬装置に関する。
【背景技術】
【０００３】
この種の子供運搬装置は、担持構造部の側方に離隔した上方点に連結されかつ着用者の各肩上に伸長し、他端でウエストベルトに連結される肩紐を通常有する。従って、担持構造部が着用者の胸側に位置するときに、肩紐は胸側および背側に相互に対して平行に伸張する。
【０００４】
かかる従来タイプの子供運搬装置の欠点は、小さい子供が例えば年齢一才を超えるようになると相当に重くなることである。運搬装置の着用者は、お世話と監督のために運搬装置が着用者の胸側に位置する子供担持ポケットを装備することを望み、しかし他方で、運搬装置で子供を運搬するには背側に担持ポケットがある方が着用者にとって相当に快適である場合がある。
【０００５】
着用者の前側または背側に、赤ちゃん担体（carrier)を形成すること、それ自体は実現可能であるが、子供を着用者の胸側で担持ポケットに入れて運搬できる場合と背側で担持ポケットに入れて運搬できる場合との切り換えを可能にするために、赤ちゃん担体を担持ポケット内の赤ちゃんと共に、着用者の上体部から外して、リュックサックのように着用者の背側へ取り付けることが必要とされる。しかし、かかる操作は赤ちゃんに危険であり、赤ちゃんが注意を必要とする場合には子供に接近するために運搬装置を着用者から再度取り外す必要がある。
【先行技術文献】
【特許文献】
【０００６】
【特許文献１】ＷＯ０３／００３８８０
【発明の概要】
【発明が解決しようとする課題】
【０００７】
本発明の課題は、着用者の上体部上に取り付けかつ着用されるときに、赤ちゃん担持ポケットが効果的担持状態と良好な担持安全性をもって着用者の背側と胸側間を移動するように至便に回転する赤ちゃん運搬装置を提供することにある。他の課題は、特に、担持ポケットが着用者の背側にあるときに、着用者の快適感を増長する紐構造を提供することにある。
【０００８】
かかる課題は、本発明により全体的または部分的に達成される。
【課題を解決するための手段】
【０００９】
本発明は特許請求の範囲に記載の独立請求項に記載されている。
【００１０】
本発明の実施形態は、従属請求項に記載されている。
【００１１】
好適実施形態において、子供運搬装置は肩紐を有し、肩紐は担持ポケットを含む担持構造部が着用者の背側に位置するときに、上側方に位置する担持構造部のコーナー領域から隣接する肩上方へ、そしてそこから着用者の胸上へ斜め対角線方向に下降し、腕の下から着用者の背側へ伸張し、そこで肩紐の端が担持構造部の上側方位置領域に連結される。ウエストベルトが着用者の腰（waist)の周りを回転することを条件として、担持ポケットを含む担体構造部は、腕の下から胸側の所定位置まで、着用者の上体部の周りを回転でき、それにより肩紐は着用者の肩上をスライドし、子供担持ポケットの担持安全性を維持する。
【００１２】
ウエストベルトはバックルを有してよく、バックルは第一端位置でウエストベルトを着用者のウエストおよびヒップ周りに付勢して安定させ、担持機能を奏効し、かつ第二端位置において閉鎖されたウエストベルトの内周を自由に拡大し、そのようにしてウエストベルトは、容易に着用者の周りを回転できる。当然ながら、ウエストベルトは、赤ちゃん担体着脱のために、ベルトの開放を可能にする取付具を有する。
【００１３】
ウエストベルトの内面は、回転に対して低摩擦であるように形成されてよい。一実施形態において、いずれかの側で、担持構造部は、担持構造部の上コーナー領域の周りに伸長するガイドレールを有し、ガイドレールは、連結された肩紐のそれぞれの端に対してスライド可能蓋を提供する。このようにして、肩紐は異なるサイズおよび体型の着用者に最適な位置に連結され得る。子供担持ポケットが着用者の背側に位置する場合に、肩紐は、着用者の胸側上で上方へ移動しかつ肩に沿って首へ向かって移動する負荷の衝撃を受ける危険がある。そこで、着用者の胸側上の肩紐の中間位置に連結され、腕の下から背側へ伸長しかつ担持構造部の隣接部分に取り付けられる安定紐を提供することにより、着用者の胸上を上方へ移動し首へ向かう肩紐の傾向は防止できる。
【００１４】
以下に、本発明を添付図面を参照して例示として説明する。
【図面の簡単な説明】
【００１５】
【図１】子供運搬装置を着用する着用者の前面図を示す。
【図２】子供運搬装置を着用者の背後から示す図である。
【図３】子供運搬装置の側面図を示す。
【図４】図３の矢印ＩＶの方向に見た部分的斜視図を示す。
【図５】図３のＶ−Ｖ線に沿った部分的図面を示す。
【図６】図５のＶＩ−ＶＩ線に沿った概略断面図を示す。
【図７】図６のＶＩＩ−ＶＩＩ線に沿った概略図を示す。
【図８】図６のＶＩＩＩ−ＶＩＩＩ線に沿った概略図を示す。
【図９】安定紐のスライド取付具の拡大図を示す。
【図１０】図９のＸ−Ｘ線に沿った概略断面図を示す。
【図１１】図９のＸＩ−ＸＩ線に沿った概略断面図を示す。
【発明を実施するための形態】
【００１６】
図１および２は、着用者の上体部上に着用された子供運搬装置を示す。子供運搬装置は、ウエストベルト１を有し、ウエストベルト１は、着用者の背側上に位置する状態で示されウエストベルトから上方に延びた剛性プレートもしくはシート２を担持する。前片３は、プレート２の上方部でプレート２のそれぞれの側縁領域に位置する側縁部を有し、かつ連結部材３１によりプレートに着脱自在に連結される。前片３は、プレート２に対して回転しかつ連結部材４０により横切る方向の中央位置でプレート２に取り付けた下中央バンド形部を有し、下中央バンド形部は、折り畳まれた前片３の底を上昇下降させるために、好適にはプレート２上で垂直方向に離隔した複数の選択的ファスナを有する。前片３の側縁は、前片３により形成される担持ポケットに座る子供の脚用開口を形成するために、連結装置３１下の領域においてプレート２の側縁から離隔している。前片３は取付具３１のレベルの上方領域に上境界部３５を有し、上境界部３５は複数の側方突出端部を有し、各突出端部は、端に、プレート２の上境界部にあるカップリング取付具５４に取外し可能に連結される第一カップリング取付具５１を有する。
【００１７】
カップリング取付具５１，５４が相互に対して連結されるときに、前片３の上境界部３５は子供のヘッドレストを形成する。上境界部３５の側縁は、子供の腕用の孔を形成するために取付具３１，５４間の領域に凹として示されている。取付部５１が分離されるときに、前片３の上境界部３５は、取付具３１のレベル上にある折畳み線を中心に前片３の下部に対して下へ折り畳まれる。図１および２から理解されるように、ガイドレール５０が、プレート２の各上コーナー縁領域に沿って延在する。更に、肩紐５２は、図２において、左ガイドレール５３により担持された一端５３を有し、一端５３は外力の衝撃下でガイドレールに沿ってスライドするように構成される。肩紐５２は、一端５３から、着用者の背側上方に延び左肩上を超えて斜め下方へ延び、胸側上から右腕下で右側から背側へ回り、そこで肩紐５２の他端５４により図２の右スライドレール５０にスライド可能に連結される。
【００１８】
図１において，安定紐６０は、一端により胸側の略中間で肩紐に連結されている。安定紐６０は、そこから下方斜め方向に延び、着用者の左側を回って、図２に示された左スライドレール５０に他端６２により連結される。安定紐の他端６２はスライドレール５０に沿って移動可能である。安定紐６０は、取付具６５の使用により伸縮可能であり、それにより肩紐５２は着用者の胸側に概ね平行に下方へ移動可能であり、かつ肩紐５２は特に肩領域で着用者の首から離れる方向へ運ばれる。
【００１９】
図１および２の状態を基にして、着用者は、肩紐５２から安定紐６０を分離しかつウエストベルト１の取付具１０を開放し、ウエストベルト１が着用者のウエスト領域に当接しないようにし、かつ着用者のウエストの周辺を回転するようにできる。これに関連して、図１において肩紐５２は長手方向上方へ走らせ、そのようにして前片３および前片３により形成される担持ポケットを含むプレートもしくはシート２を、着用者の右腕の下方から着用者の胸側の中間の常に所定位置まで、上体部の周りで回動させる。この全回転操作時に担持ポケットは肩紐５２上に安定保持されている。
【００２０】
担持ポケット４の新規設置において、着用者は、子供からの負荷をプレート２およびウエストベルト１を介してヒップで担持するようにして、バックル１０を付勢する。子供運搬装置は、当然ながら、反対の対角線方向に肩紐５２を装備してよい。
【００２１】
図４において、理解されるように、境界部３５の側端部３６は細長くかつ両端にリング形カップリング取付具５１を有し、側端部３６は、ポスト５５として形成された取付具の一部５４上に受けられる。取付具の一部５４は、直径方向外方に対峙する二つのキー(keys)を有し、キーは押圧によりロックウエッジ(lock wedge)６１の後退を可能にする。ロックウエッジ６１は、ポスト５５内のウエスト切欠き５７に係合する。ロックウエッジ６１は、二つのキーの押圧によって示された位置から後退する。係止位置において、取付具５１は、ポスト５５の底部５４を中心とする付帯面８１に当接する（図８）リング形面７１（図７）を有する。リング形面７１はポストの周りに離隔形成された複数の半径方向の溝７２を有する。ポストの周りの付帯面８１は、溝７２に受けることのできる一つまたはそれ以上の半径方向隆起を有する。溝７２は、付帯面８１上の隆起８５を取付具５１の複数の異なる回転位置に受けることができかつ複数の異なる回転位置で取付具５１を回転可能に固定する。端部３６は、一定の弾性を有しかつ取付具５１に固定的に連結される。端部３６は前片３の厚みよりも幅広く、かつ図４において細長い端部３６は、取付具５１から一定間隔をおいた曲折領域３７に相互に対して平面的に折り曲げて示されている。好適には、この一定間隔は、端部３６の曲げ剛性および弾性の適宜選択により、１０ｃｍ未満程度である。
【００２２】
このように、それぞれの取付具５１に最も近い端部３８は取付具５１の回転軸を中心に垂直面において枢軸回転し、端部３６の曲折領域３７は、取付具５１を中心とする対応する円弧に沿って移動する。次に、曲折領域３７，３７は、プレート２に平行の平面内で移動し、かつ担持ポケット４内に着座している子供の、例えば頬骨領域のための支持クッションを形成することができる。このように、上境界部３５の水平長を精確に選択することにより、ヘッドレストとして上境界部３５を調節可能であり、起立位置の子供の頭を支持でき、かつ取付具５１間に子供の鼻、曲折部３７に当接する子供の頬骨領域を、図５に示されたように支持できる。
【００２３】
図９および１０において、理解されるように、下境界上の肩紐５２は、Ｌ字形連結要素９１を介して安定紐６０の端６１に連結されたスライド取付具８４内のアンダーカットチャンネル８２で構成される縁バルジ８１を有し、Ｌ字形連結要素９１は取付具８４内の付帯凹部９２内に取外し可能に受けられる。
【００２４】
図１１から理解されるように、取付具８４は、軸着されたレバー部８６を含み、レバー部８６の一方のアーム８７は溝８２の可動部を形成し、かつ他方のアーム８８は連結要素９１の足３３により支持される。アーム８８は足３３と接触する斜めウエッジ面を有し、足３３は取付具８４内のプラスチックスライド面上に当接する。図９から理解されるように、開口９２は取付具８４の上側に口を有し、かつ細長いスロット９５の形態であり、スロット９５は取付具の上縁部８９へ向けてレバー８６の軸を接近させる。安定紐６０の張力がバルジ８１に沿って上方へ取付具８４を引っ張ることを目的とする場合に、連結要素９１は案内溝９５に沿って上方へ移動し、足３３はレバー８６を枢軸回転させて縁バルジ８１を安定的に停止させかつ取付具８４の肩紐５２に沿ったそれ以上の上方移動を阻止する。
【００２５】
図７および８による共働面７１，８１を除き、連結された取付部５１，５４はＷＯ０３／００３８８０に記載の取付部品７０，８０の詳細に説明された設計であってよい。
【００２６】
スライドレール５０は、連続的アーチとしてプレートの二つの垂直側縁と水平上縁間に延在することにより、肩紐５２の一端５３は着用者の身体および問題の負荷の大きさにより調節され最適位置へ移動する。
【００２７】
ウエストベルト１は、当然ながら、ウエストベルト１の周囲の選択的調節を可能にしかつウエストベルトの開放を可能にする調節取付具を有する。
【００２８】
図３において、肩紐５２および安定紐６０は、明快のために省略されている。
【符号の説明】
【００２９】
１    ウエストベルト
２    プレート
３    前片
５０    スライドレール
５２    肩紐
【図１】
2010505508.tif 000003
【図２】
2010505508.tif 000004
【図３】
2010505508.tif 000005
【図４】
2010505508.tif 000006
【図５】
2010505508.tif 000007
【図６】
2010505508.tif 000008
【図７】
2010505508.tif 000009
【図８】
2010505508.tif 000010
【図９】
2010505508.tif 000011
【図１０】
2010505508.tif 000012
【図１１】
2010505508.tif 000013
【国際調査報告】
2010505508.tif 000014
2010505508.tif 000015
2010505508.tif 000016